(57)【要約】      （修正有）【課題】ユーザーのニーズにより増設できるほか、使用空間に合わせて回旋するこることが可能なソケットアウトレットを提供する。【解決手段】ソケットアウトレットは、メインモジュールと、メインモジュールとつなぐことができる増設モジュール２００を含む。増設モジュール２００は柱の形になり、増設モジュール２００の中に増設回路基板２０１がある。増設モジュール２００は増設モジュール２００の側面の上に交流出力コンセント２１０を設置している。増設モジュール２００の両側に分けて増設コネクタ４００と増設コンセント３００を設けている。交流出力コンセント２１０、増設コネクタ４００と増設コンセント３００はそれぞれ増設回路基板２０１と接続しパラになり電気的につながっている。【選択図】図６
0003207223.tif 000002
【実用新案登録請求の範囲】
【請求項１】
ソケットアウトレットに下記内容が含まれている。
メインモジュールがあり、そのメインモジュールに増設コンセントが設けられ、増設コンセントにはスルーホールと、スルーホールを囲んだ内環溝と内環溝を囲んだ外環溝があり、増設コンセントに３個電極が設置され、各電極はそれぞれスルーホール、内環溝と外環溝に向かって延びている。
また増設モジュールがあり、増設モジュールに増設コネクタが設けられ、その増設コネクタに導電柱と、導電柱を囲んだ導電内環と導電内環を囲んだ導電外環を含めている。
その中、増設コネクタは増設コンセントに、導電柱はスルーホールに、導電内環は内環溝に、導電外環は外環溝に差し込む。
【請求項２】
請求項１で述べたソケットアウトレットのメインモジュールが電気的に増設コネクタの交流出力コンセントとつながっている。そして各電極はそれぞれパラになり電気的に交流出力コンセントとつながっている。
【請求項３】
請求項１で述べたソケットアウトレットのメインモジュールが電気的に増設コネクタの直流出力コンセントとつながっている。
【請求項４】
請求項１で述べたソケットアウトレットの増設モジュールが電気的に増設コネクタの交流出力コンセントとつながっている。
【請求項５】
請求項１で述べたソケットアウトレットの増設モジュールが電気的に増設コネクタの直流出力コンセントとつながっている。
【請求項６】
請求項５で述べたソケットアウトレットの直流出力コンセントはＵＳＢメス仕様である。
【請求項７】
請求項１で述べたソケットアウトレットの増設モジュールにラッチを設けられている。そのラッチにロック穴が設置され、導電柱に保持溝が設置され、導電柱がロック穴に入り、ロック穴の内側が保持溝に嵌められるようになる。
【請求項８】
請求項７で述べたソケットアウトレットのラッチと増設コンセントの間にラッチをリセットするための弾性部品が設けられている。
【請求項９】
請求項７で述べたソケットアウトレットに、増設モジュールの増設コンセントに差し込む増設コネクタのもう一つの増設モジュールを設けていることを含めている。
【請求項１０】
請求項１で述べたソケットアウトレット、そのメインモジュールにスイッチがあり、スイッチが交流出力コンセント及び増設コンセントと電気的につながっている。
【考案の詳細な説明】
【技術分野】
【０００１】本考案は、ソケットアウトレットについて、ユーザーのニーズにより増設できるほか、使用空間に合わせて回旋することが可能なソケットアウトレットである。
【背景技術】
【０００２】多くのコンセントが並ぶソケットアウトレットが、延長コードの形としてよく使われている。
【考案の概要】
【考案が解決しようとする課題】
【０００３】ソケットアウトレットにある複数コンセントを同時に使う時、各コンセントに接続するアダプターは干渉し合うことがあり、不便である。またコンセント数が足りない時、他のソケットアウトレットを購入しなければならないので、経済的ではない。【０００４】そこで、本考案者は、背景技術に対して、研究及び理論を用いて、上記の問題を解決しようとする。それは本考案者の開発の目標である。
【課題を解決するための手段】
【０００５】本考案はユーザーのニーズにより増設できるほか、使用空間に合わせて回旋することが可能なソケットアウトレットを提供。
【考案の効果】
【０００６】本考案のソケットアウトレットは、メインモジュールと増設モジュールを含めている。メインモジュールに増設コンセントが設けられ、増設コンセントにはスルーホールと、スルーホールを囲んだ内環溝と内環溝を囲んだ外環溝が設けられている。増設コンセントに３電極が設置され、各電極はそれぞれスルーホール、内環溝、外環溝に向かって延びている。増設モジュールに増設コネクタがあり、増設コネクタに導電柱と、導電柱を囲んだ導電内環と導電内環を囲んだ導電外環を含めている。増設コネクタを増設コンセントに、導電柱をスルーホールに、導電内環を内環溝に、導電外環を外環溝に差し込む。【０００７】また、メインモジュールは電気的に増設コネクタの交流出力コンセントとつながり、そして各電極がそれぞれパラで交流出力コンセントと電気的につながっている。またメインモジュールは電気的に増設コネクタの直流出力コンセントとつながることも可能である。【０００８】また、増設モジュールは電気的に増設コネクタの交流出力コンセントとつながっている。増設モジュールは電気的に増設コネクタの直流出力コンセントとつながり、直流出力コンセントはＵＳＢメス仕様である。増設モジュールにもう一つの増設コンセントを設けてある。また増設モジュールにラッチを設置し、ラッチにはロック穴を設置し、導電柱には固定溝を設置し、導電柱はロック穴に入り、ロック穴の内側が固定溝に嵌る。ラッチと増設コンセントの間にラッチをリセットするための弾性部品が設けられている。【０００９】また、メインモジュールにラッチを設置し、ラッチにはロック穴を設置し、導電柱には固定溝を設置し、導電柱はロック穴に入り、ロック穴の内側が固定溝に嵌る。ラッチと増設コンセントの間にラッチをリセットするための弾性部品が設けられている。メインモジュールにスイッチがあり、スイッチは交流出力コンセントと増設コンセントと電気的につながっている。【００１０】また、上記で述べたソケットアウトレットは、増設モジュールの増設コンセントに差し込む増設コネクタのもう一つの増設モジュールを設けていることを含めている。【００１１】本考案のソケットアウトレットのメインモジュールは増設コンセント経由して増設モジュールの増設コネクタに差し込ませることによって増設している。また増設モジュールも同様に増設モジュールを繋げて増設することができる。増設モジュールはこれで接続されたメインモジュールもしくは増設モジュールを回旋して角度を調整することができる。
【図面の簡単な説明】
【００１２】
【図１】本考案の第一実施例を示すソケットアウトレットの立体図
【図２】本考案の第一実施例を示すソケットアウトレットの立体分解図
【図３】本考案の第一実施例を示す増設コンセントの立体図
【図４】本考案の第一実施例を示す増設モジュールの立体図
【図５】本考案の第一実施例を示す増設モジュールの別の立体図
【図６】本考案の第一実施例を示す増設モジュールの立体分解図
【図７】本考案の第一実施例を示す増設モジュールの別の立体分解図
【図８】本考案の第一実施例を示すソケットアウトレットの縦断図
【図９】本考案の第一実施例を示すソケットアウトレットの別の縦断図
【図１０】本考案の第一実施例を示すソケットアウトレットの回旋図
【図１１】本考案の第一実施例を示すソケットアウトレットの別の回旋図
【図１２】本考案の第一実施例を示すソケットアウトレットの回旋立体図
【図１３】本考案の第一実施例を示すソケットアウトレットの防塵蓋付きの立体図
【図１４】本考案の第二実施例を示すソケットアウトレットの立体図
【図１５】本考案の第二実施例を示すソケットアウトレットの立体分解図
【図１６】本考案の第二実施例を示すソケットアウトレットの別の立体分解図
【図１７】本考案の第三実施例を示すソケットアウトレットの立体図
【図１８】本考案の第三実施例を示すソケットアウトレットの立体分解図
【図１９】本考案の第三実施例を示すソケットアウトレットの別の立体分解図
【考案を実施するための形態】
【実施例】
【００１３】図面１〜２の通りで、本考案の第一実施例のソケットアウトレットで、メインモジュール１００とメインモジュール１００とつなぐことができる増設モジュール２００を含めている。【００１４】本考案の実施例で、メインモジュール１００は柱の形になり、メインモジュール１００にメイン回路基板１０１を設け、メイン回路基板１０１は商用電源とつながることによりメインモジュール１００に電源を提供させる。メインモジュール１００はメインモジュール１００の側面に交流出力コンセント１１０（本考案はこれで制限するわけではなく、直流出力コンセントでも可能）を設置している。交流出力コンセント１１０はメイン回路基板１０１と電気的につながっている。メインモジュール１００の片側にメイン回路基板１０１と電気的につながっている増設コンセント３００を設けている。メインモジュール１００にはスイッチ１０２があり、スイッチ１０２はメイン回路基板１０１と接続し、交流出力コンセント１１０及び増設コンセント３００と電気的につながっている。これで、交流出力コンセント１１０と増設コンセント３００の電源を送り出すか切るかを切り替えることができる。【００１５】図面３の通りで、本考案の中で、各増設コンセント３００はプラスチック製の絶縁体である。増設コンセント３００にスルーホール３１０と、スルーホール３１０を囲んだ内環溝３２０と内環溝３２０を囲んだ外環溝３３０がある。外環溝３３０の壁に固定溝３３２が形成している。増設コンセント３００に３電極３１１／３２１／３３１が設置され、各電極３３１／３２１／３３１はそれぞれスルーホール３１０、内環溝３２０、外環溝３３０に向かって延びている。メインモジュール１００の増設コンセント３００、各電極３１１／３２１／３３１の片側はそれぞれメイン回路基板１０１と接続し、メインモジュール１００の交流出力コンセント１１０と電気的につながっている。増設モジュール２００に増設コンセント３００があり、各電極３１１／３２１／３３１の片側はそれぞれ増設回路基板２０１と接続し、増設モジュール２００の交流出力コンセント２１０と増設コネクタ４００とパラになり電気的につながっている。【００１６】図面４〜７の通りで、本考案の中で、増設モジュール２００は柱の形になり、増設モジュール２００の中に増設回路基板２０１がある。増設モジュール２００は増設モジュール２００の側面の上に交流出力コンセント２１０を設置している。増設モジュール２００の両側に分けて増設コネクタ４００と増設コンセント３００を設けている。交流出力コンセント１１０／２１０、増設コネクタ４００と増設コンセント３００はそれぞれ増設回路基板２０１と接続しパラになり電気的につながっている。【００１７】本考案の中で、増設コネクタ４００はプラスチック製の絶縁体で、その上に導電柱４１０と、導電柱４１０を囲んだ導電内環４２０と導電内環４２０を囲んだ導電外環４３０を設置している。導電柱４１０と、導電内環４２０と導電外環４３０はそれぞれ増設回路基板２０１と電気的につながっている。増設コネクタ４００に導電外環４３０を囲んだ外環壁４０１が形成し、外環壁４０１が外に向かって複数固定リブ４０２を設けている。【００１８】図面８〜９の通りで、増設コネクタ４００は各増設コンセント３００と接続することができ、そして電気的につながっている。増設コネクタ４００は増設コンセント３００と接続する時、導電柱４１０はスルーホール３１０に入り、そして向かってスルーホール３１０内の電極３１１とつながる。導電内環４２０と内環溝３２０に接続し、そして向かって内環溝３２０内の電極３２１とつながる。導電外環４３０と外環溝３３０と接続し、そして向かって外環溝３３０内の電極３３１とつながる。【００１９】メインモジュール１００の上にラッチ３４０が設置され、ラッチ３４０にはロック穴３４１を設置し、ロック穴３４１はメインモジュール１００にある増設コンセント３００のスルーホール３１０と嵌め合う。ラッチ３４０と増設コンセント３００の間にラッチ３４０をリセットするための弾性部品３５０が設けられている。ラッチ３４０が弾性部品３５０に押されて、スルーホール３１０の一部分がロック穴３４１の内側に遮られることになる。導電柱４１０の側面には保持溝４１１を設置し、導電柱４１０がスルーホール３１０に入る時、導電柱４１０がロック穴３４１に嵌め、ロック穴３４１の内側が保持溝４１１に嵌め込み、導電柱４１０を固定する。これにより、増設コンセント３００と増設コネクタ４００が固定し合う。増設コネクタ４００を増設コンセント３００から出す時、ラッチ３４０を押して、ロック穴３４１の内側を導電柱４１０から離させ、これにより導電柱４１０がロック穴３４１から離れることになる。【００２０】増設モジュール２００にラッチ３４０が設けられている。ラッチ３４０の構造および配置について上記述べたように、増設モジュール２００にある増設コンセント３００とつりあう。【００２１】図面１０〜１２の通りで、増設コネクタ４００と増設コンセント３００を接続することにより、増設モジュール２００がメインモジュール１００と組み合わせることができるようになり、そして増設コンセント３００を増設コネクタ４００と接続することにより、メインモジュール１００にある交流出力コンセント１１０と増設モジュール２００の交流出力コンセント２１０が並列になり、電気的につながるようになる。また導電柱４１０がスルーホール３１０の内軸に、導電内環４２０は内環溝３２０の内軸に、導電外環４３０は外環溝３３０の内軸に回旋できる。よって、増設コネクタ４００は増設コンセント３００と、メインモジュール１００と増設モジュール２００が相対に回旋できるようになる。増設コネクタ４００と増設コンセント３００が相対に回旋するとき、増設コネクタ４００にある固定リブ４０２が任意的に外環溝３３０にある固定溝３３２と嵌められ、メインモジュール１００と増設モジュール２００の角度を固定することができる。【００２２】図面３〜１３の通りで、増設コンセント３００を使用しない時、その上に防塵蓋５００で保護カバーとして入れられる。防塵蓋５００にカバー５１０を含めている。カバー５１０が増設コンセント３００のスルーホール３１０、内環溝３２０と外環溝３３０をカバーできる。カバー５１０の側面に連絡柱５２０と少なくとも一つの円弧板５３０が突出し、連絡柱５２０の側面に環状の保持溝５２１が設置されている。連絡柱５２０が増設コンセント３００のスルーホール３１０に入った時、連絡柱５２０がラッチ３４０のロック穴３４１に入り、ロック穴３４１の内側が保持溝４１１に嵌めることにより、連絡柱５２０を固定し、防塵蓋５００が増設コンセント３００に固定できるようになる。円弧板５３０は外環溝３３０に接続し、円弧板５３０の凸面に保持リブ５３１が設けられ、保持リブ５３１は外環溝３３０の任意の固定溝３３２と接続することによって、防塵蓋が回旋できなくなる。防塵蓋５００を増設コンセント３００から出す時、ラッチ３４０を押してロック穴３４１の内側から連絡柱５２０が離れ、連絡柱５２０がロック穴３４１から離れることになる。【００２３】図面１４〜１６の通りで、本考案の第二実施例である。ソケットアウトレットの中、メインモジュール１００、メインモジュール１００と接続できる増設モジュール２００’を含めている。メインモジュール１００の構造について前述の第一実施例と同じように、増設モジュールの構造は前述の第一実施例と大体同じようなので、同じである部分についてここで述べない。【００２４】本実施例と第一実施例との違いは増設モジュール２００’に交流出力コンセント２１０’と、直流出力コンセント２２０を含めている。直流出力コンセント２２０はＵＳＢメス仕様であってもよい。直流出力コンセント２２０は電気的に増設モジュール２００’内の増設回路基板２０１とつながっていることにより、増設コネクタ４００はメインモジュール１００と電気的につながるようになる。メインモジュール１００がメインモジュール１００の増設コネクタ４００で増設モジュール２００’の増設コンセント３００に経由して商用電源を増設回路基板２０１に送らせることができる。増設回路基板２０１は交流を交流出力コンセント２１０’に提供でき、そして直流に変換して直流出力２２０に提供することができる。【００２５】図面１７〜１９の通りで、本考案の第三実施例である。ソケットアウトレットの中、メインモジュール１００と複数増設モジュール２００を含めている。本実施例で、二つの増設モジュール２００／２００’を含めているが、本考案は増設モジュール２００／２００’の数量を限定しない。各増設モジュール２００／２００’を自由にメインモジュール１００と組み合わせられ、二つの増設モジュール２００／２００’を自由に組み合わせることも可能である。【００２６】メインモジュール１００とメインモジュール１００と接続する増設モジュール２００について第一実施例で述べた内容と同様のため、ここで述べない。もう一つの増設モジュール２００’に交流出力コンセント２１０’、直流出力コンセント２２０、増設コネクタ４００が設けられている。該当増設コネクタ４００は上記で述べた増設モジュール２００の増設コンセント３００と接続し、二つの増設モジュール２００／２００’を組み立てることにし、二つの増設モジュール２００／２００’が電気的につながり、そして相対に回旋できる。よって、メインモジュール１００が商用電源を各交流出力コンセント１１０／２１０／２１０’、直流出力コンセント２２０に送り出せるようになる。固定リブ４０２で固定溝３３２と接続することにより、増設モジュール２００と接続するメインモジュール１００もしくはもう一つの増設モジュール２００’の相対角度を固定することができる。【００２７】本考案のソケットアウトレットのメインモジュール１００は増設コンセント３００で自由に増設モジュール２００／２００’の増設コンセント４００により接続でき、交流出力コンセント２１０／２１０’もしくは直流出力コンセント２２０を増設させる。また増設モジュール２００は上にある増設コンセント３００により増設モジュール２００’の増設コネクタ４００に接続させることができ、これでさらに増設ができるようになる。そして増設モジュール２００は接続したメインモジュール１００もしくは増設モジュール２００’と相対に回旋することにより、使用角度の調節もできるようになる。【００２８】上記で述べた内容は本考案の実施例で、本考案を限定するためではない。
本考案のほかの実用を運用した場合でも、本考案の実用範囲である。
【符号の説明】
【００２９】１００            メインモジュール
１０１            メイン回路基板
１０２            スイッチ
１１０            交流出力コンセント
２００／２００’  増設モジュール
２０１            増設回路基板
２１０／２１０’  交流出力コンセント
２２０            直流出力コンセント
３００            増設コンセント
３１０            スルーホール
３１１            電極
３２０            内環溝
３２１            電極
３３０            外環溝
３３１            電極
３３２            固定溝
３４０            ラッチ
３４１            ロック穴
３５０            弾性部品
４００            増設コネクタ
４０１            外環壁
４０２            固定リブ
４１０            導電柱
４１１            保持溝
４２０            導電内環
４３０            導電外環
５００            防塵蓋
５１０            カバー
５２０            連絡柱
５２１            保持溝
５３０            円弧板
５３１            保持リブ
【図１】
0003207223.tif 000003
【図２】
0003207223.tif 000004
【図３】
0003207223.tif 000005
【図４】
0003207223.tif 000006
【図５】
0003207223.tif 000007
【図６】
0003207223.tif 000008
【図７】
0003207223.tif 000009
【図８】
0003207223.tif 000010
【図９】
0003207223.tif 000011
【図１０】
0003207223.tif 000012
【図１１】
0003207223.tif 000013
【図１２】
0003207223.tif 000014
【図１３】
0003207223.tif 000015
【図１４】
0003207223.tif 000016
【図１５】
0003207223.tif 000017
【図１６】
0003207223.tif 000018
【図１７】
0003207223.tif 000019
【図１８】
0003207223.tif 000020
【図１９】
0003207223.tif 000021
【手続補正書】
【提出日】平成28年8月1日(2016.8.1)
【手続補正１】
【補正対象書類名】実用新案登録請求の範囲
【補正対象項目名】全文
【補正方法】変更
【補正の内容】
【実用新案登録請求の範囲】
【請求項１】
メインモジュールがあり、そのメインモジュールに増設コンセントが設けられ、増設コンセントにはスルーホールと、スルーホールを囲んだ内環溝と内環溝を囲んだ外環溝があり、増設コンセントに３個電極が設置され、各電極はそれぞれスルーホール、内環溝と外環溝に向かって延びているのと、
また増設モジュールがあり、増設モジュールに増設コネクタが設けられ、その増設コネクタに導電柱と、導電柱を囲んだ導電内環と導電内環を囲んだ導電外環を含めているのを有するソケットアウトレットにおいて、
前記増設コネクタは増設コンセントに、導電柱はスルーホールに、導電内環は内環溝に、導電外環は外環溝に差し込むことを特徴とするソケットアウトレット。
【請求項２】
前記のメインモジュールは電気的に増設コネクタの交流出力コンセントとつながり、そして各電極はそれぞれパラになり電気的に交流出力コンセントとつながっていることを特徴とする請求項１記載のソケットアウトレット。
【請求項３】
前記のメインモジュールは電気的に増設コネクタの直流出力コンセントとつながっていることを特徴とする請求項１記載のソケットアウトレット。
【請求項４】
前記の増設モジュールは電気的に増設コネクタの交流出力コンセントとつながっていることを特徴とする請求項１記載のソケットアウトレット。
【請求項５】
前記の増設モジュールは電気的に増設コネクタの直流出力コンセントとつながっていることを特徴とする請求項１記載のソケットアウトレット。
【請求項６】
前記の直流出力コンセントはＵＳＢメス仕様であることを特徴とする請求項５記載のソケットアウトレット。
【請求項７】
前記の増設モジュールにラッチを設けられ、そのラッチにロック穴が設置され、導電柱に保持溝が設置され、導電柱がロック穴に入り、ロック穴の内側が保持溝に嵌められるようになることを特徴とする請求項１記載のソケットアウトレット。
【請求項８】
前記のラッチと増設コンセントの間にラッチをリセットするための弾性部品が設けられていることを特徴とする請求項７記載のソケットアウトレット。
【請求項９】
前記の増設モジュールの増設コンセントに差し込む増設コネクタのもう一つの増設モジュールを設けていることを含めていることを特徴とする請求項７記載のソケットアウトレット。
【請求項１０】
前記のメインモジュールにスイッチがあり、スイッチが交流出力コンセント及び増設コンセントと電気的につながっていることを特徴とする請求項１記載のソケットアウトレット